(57)【特許請求の範囲】
【請求項１】
マルチディスプレイを構成している複数のディスプレイパネルに対して色補正用の画像を表示する色補正用画像表示手段と、
上記複数のディスプレイパネルに表示されている色補正用の画像を撮影して、その撮影画像を取得する撮影画像取得手段と、
上記撮影画像取得手段により取得された撮影画像に対する画像調整処理を行う画像調整処理手段と、
上記画像調整処理手段による画像調整処理後の撮影画像から、上記複数のディスプレイパネルにおける目標の色再現特性を表す色度である目標色度を算出する目標色度算出手段と、
上記目標色度算出手段により算出された目標色度と上記複数のディスプレイパネルの色度から色補正係数を算出する色補正係数算出手段と、
上記色補正係数算出手段により算出された色補正係数を用いて、上記複数のディスプレイパネルの色補正を行う色補正手段とを備え、
上記目標色度算出手段は、複数のディスプレイパネルにおける目標色度を算出する際、当該複数のディスプレイパネル毎に、周辺に配置されているディスプレイパネルでノイズ除去に用いられたフィルタ係数を当該周辺に配置されているディスプレイパネルの目標色度を示す値に乗算して総和した値を目標色度とすることを特徴とする色補正処理装置。
【請求項２】
複数のマルチディスプレイが設置されている場合、上記色補正用画像表示手段が各マルチディスプレイ毎に、当該マルチディスプレイを構成している複数のディスプレイパネルに対して色補正用の画像を表示し、
上記撮影画像取得手段が当該マルチディスプレイを構成している複数のディスプレイパネルに表示されている色補正用の画像を撮影して、その撮影画像を取得する
ことを特徴とする請求項１記載の色補正処理装置。
【請求項３】
上記画像調整処理手段は、上記撮影画像取得手段により取得された撮影画像に対する画像調整処理として、上記撮影画像のホワイトバランスを調整することを特徴とする請求項１または請求項２記載の色補正処理装置。
【請求項４】
色補正用画像表示手段がマルチディスプレイを構成している複数のディスプレイパネルに対して色補正用の画像を表示する色補正用画像表示処理ステップと、
撮影画像取得手段が上記複数のディスプレイパネルに表示されている色補正用の画像を撮影して、その撮影画像を取得する撮影画像取得処理ステップと、
画像調整処理手段が上記撮影画像取得処理ステップで取得された撮影画像に対する画像調整処理を行う画像調整処理ステップと、
目標色度算出手段が上記画像調整処理ステップによる画像調整処理後の撮影画像から、上記複数のディスプレイパネルにおける目標の色再現特性を表す色度である目標色度を算出する目標色度算出処理ステップと、
色補正係数算出手段が上記目標色度算出処理ステップで算出された目標色度と上記複数のディスプレイパネルの色度から色補正係数を算出する色補正係数算出処理ステップと、
色補正手段が上記色補正係数算出処理ステップで算出された色補正係数を用いて、上記複数のディスプレイパネルの色補正を行う色補正処理ステップとを備え、
上記目標色度算出処理ステップでは、複数のディスプレイパネルにおける目標色度を算出する際、当該複数のディスプレイパネル毎に、周辺に配置されているディスプレイパネルでノイズ除去に用いられたフィルタ係数を当該周辺に配置されているディスプレイパネルの目標色度を示す値に乗算して総和した値を目標色度とすることを特徴とする色補正処理方法。
【請求項５】
マルチディスプレイを構成している複数のディスプレイパネルに対して画像を表示する画像表示装置と、上記複数のディスプレイパネル間の色ずれを補正する色補正処理装置とを備えたマルチディスプレイ装置において、
上記色補正処理装置は、上記複数のディスプレイパネルに対して色補正用の画像を表示する色補正用画像表示手段と、上記複数のディスプレイパネルに表示されている色補正用の画像を撮影して、その撮影画像を取得する撮影画像取得手段と、上記撮影画像取得手段により取得された撮影画像に対する画像調整処理を行う画像調整処理手段と、上記画像調整処理手段による画像調整処理後の撮影画像から、上記複数のディスプレイパネルにおける目標の色再現特性を表す色度である目標色度を算出する目標色度算出手段と、上記目標色度算出手段により算出された目標色度と上記複数のディスプレイパネルの色度から色補正係数を算出する色補正係数算出手段と、上記色補正係数算出手段により算出された色補正係数を用いて、上記複数のディスプレイパネルの色補正を行う色補正手段とを備え、
上記目標色度算出手段が、複数のディスプレイパネルにおける目標色度を算出する際、当該複数のディスプレイパネル毎に、周辺に配置されているディスプレイパネルでノイズ除去に用いられたフィルタ係数を当該周辺に配置されているディスプレイパネルの目標色度を示す値に乗算して総和した値を目標色度とすることを特徴とするマルチディスプレイ装置。
【発明の詳細な説明】
【技術分野】
【０００１】
この発明は、マルチディスプレイを構成している複数のディスプレイパネル間の色ずれを補正する色補正処理装置及び色補正処理方法と、上記の色補正処理装置を実装しているマルチディスプレイ装置とに関するものである。
【背景技術】
【０００２】
複数のディスプレイパネルを並べて配置することで、大画面化が図られているマルチディスプレイがある。
しかし、マルチディスプレイでは、例えば、複数のディスプレイパネルの色再現特性が微妙に異なることが原因で色ずれが生じることがある。
そこで、近年、マルチディスプレイを構成している複数のディスプレイパネル間の色ずれを補正する色補正処理装置が開発されている。
【０００３】
例えば、以下の特許文献１に開示されている色補正処理装置では、複数のディスプレイパネルに表示されている画像を撮影し、その撮影画像に基づいて複数のディスプレイパネル間の色ずれを補正している。
即ち、この色補正処理装置では、まず、カメラを用いて、複数のディスプレイパネルに表示されている画像を撮影して、その撮影画像から各ディスプレイパネルにおける表示特性の調整域を算出する。
そして、各々のディスプレイパネルの調整域が重複している範囲を特定し、その重複範囲内で、各々のディスプレイパネルの調整度合を設定することで、複数のディスプレイパネル間の色ずれを補正する。
【先行技術文献】
【特許文献】
【０００４】
【特許文献１】特開２００５−０５７５０７号公報（段落番号［００２４］から［００２７］、図１）
【発明の概要】
【発明が解決しようとする課題】
【０００５】
従来の色補正処理装置は以上のように構成されているので、各々のディスプレイパネルに対する表示特性の調整のやり直しを防いで、無駄な手間を省くことができる。しかし、複数のディスプレイパネルに表示されている画像を撮影し、その撮影画像に基づいて複数のディスプレイパネル間の色ずれを補正しても、複数のディスプレイパネルにおける撮影画像間で、例えば、ホワイトバランスや輝度が異なっていると、精度よく色ずれを補正することができないなどの課題があった。
【０００６】
この発明は上記のような課題を解決するためになされたもので、複数のディスプレイパネル間の色ずれを精度よく補正することができる色補正処理装置及び色補正処理方法を得ることを目的とする。
また、この発明は、複数のディスプレイパネル間の色ずれを精度よく補正することができる色補正処理装置を実装しているマルチディスプレイ装置を得ることを目的とする。
【課題を解決するための手段】
【０００７】
この発明に係る色補正処理装置は、マルチディスプレイを構成している複数のディスプレイパネルに対して色補正用の画像を表示する色補正用画像表示手段と、複数のディスプレイパネルに表示されている色補正用の画像を撮影して、その撮影画像を取得する撮影画像取得手段と、撮影画像取得手段により取得された撮影画像に対する画像調整処理を行う画像調整処理手段と、画像調整処理手段による画像調整処理後の撮影画像から、複数のディスプレイパネルにおける目標の色再現特性を表す色度である目標色度を算出する目標色度算出手段と、目標色度算出手段により算出された目標色度と複数のディスプレイパネルの色度から色補正係数を算出する色補正係数算出手段と、色補正係数算出手段により算出された色補正係数を用いて、複数のディスプレイパネルの色補正を行う色補正手段とを備え、目標色度算出手段が、複数のディスプレイパネルにおける目標色度を算出する際、当該複数のディスプレイパネル毎に、周辺に配置されているディスプレイパネルでノイズ除去に用いられたフィルタ係数を当該周辺に配置されているディスプレイパネルの目標色度を示す値に乗算して総和した値を目標色度とするようにしたものである。
【発明の効果】
【０００８】
この発明によれば、マルチディスプレイを構成している複数のディスプレイパネルに対して色補正用の画像を表示する色補正用画像表示手段と、複数のディスプレイパネルに表示されている色補正用の画像を撮影して、その撮影画像を取得する撮影画像取得手段と、撮影画像取得手段により取得された撮影画像に対する画像調整処理を行う画像調整処理手段と、画像調整処理手段による画像調整処理後の撮影画像から、複数のディスプレイパネルにおける目標の色再現特性を表す色度である目標色度を算出する目標色度算出手段と、目標色度算出手段により算出された目標色度と複数のディスプレイパネルの色度から色補正係数を算出する色補正係数算出手段と、色補正係数算出手段により算出された色補正係数を用いて、複数のディスプレイパネルの色補正を行う色補正手段とを備え、目標色度算出手段が、複数のディスプレイパネルにおける目標色度を算出する際、当該複数のディスプレイパネル毎に、周辺に配置されているディスプレイパネルでノイズ除去に用いられたフィルタ係数を当該周辺に配置されているディスプレイパネルの目標色度を示す値に乗算して総和した値を目標色度とするように構成したので、複数のディスプレイパネル間の色ずれを精度よく補正することができる効果がある。
【図面の簡単な説明】
【０００９】
【図１】この発明の実施の形態１による色補正処理装置が実装されているマルチディスプレイ装置を示す構成図である。
【図２】マルチディスプレイの構成例を示す説明図である。
【図３】この発明の実施の形態１による色補正処理装置の処理内容（色補正処理方法）を示すフローチャートである。
【図４】目標色度算出処理部１５における色再現域の共通領域の算出処理を示すフローチャートである。
【図５】色再現域の共通領域の求め方を示す説明図である。
【図６】（ａ）はマルチディスプレイを構成しているディスプレイパネルＤ０〜Ｄ８の配置を示し、（ｂ）はディスプレイパネルＤ０〜Ｄ８に設定されているフィルタ係数Ｋ０〜Ｋ８を示す説明図である。
【図７】この発明の実施の形態４による色補正処理装置が実装されているマルチディスプレイ装置を示す構成図である。
【発明を実施するための形態】
【００１０】
実施の形態１．
図１はこの発明の実施の形態１による色補正処理装置が実装されているマルチディスプレイ装置を示す構成図である。
図２はマルチディスプレイの構成例を示す説明図である。
図１において、マルチディスプレイ１は複数のディスプレイパネルから構成されている大画面の表示装置である。
図２の例では、９台のディスプレイパネルＤ０〜Ｄ８が並べられることでマルチディスプレイ１が構成されている。
図２では、９台のディスプレイパネルＤ０〜Ｄ８が並べられている例を示しているが、ディスプレイパネルの台数が９台に限るものでないことは言うまでもない。
【００１１】
画像表示装置２は色補正処理装置３によりディスプレイパネルＤ０〜Ｄ８間の色ずれが補正された後、各種の画像をディスプレイパネルＤ０〜Ｄ８に表示する装置である。
色補正処理装置３は９台のディスプレイパネルＤ０〜Ｄ８間の色ずれを補正する装置である。
【００１２】
色補正処理装置３の色補正用画像表示部１１は例えばＧＰＵ（Ｇｒａｐｈｉｃｓ  Ｐｒｏｃｅｓｓｉｎｇ  Ｕｎｉｔ）などから構成されており、マルチディスプレイ１を構成している９台のディスプレイパネルＤ０〜Ｄ８に対して色補正用の画像を表示する処理を実施する。なお、色補正用画像表示部１１は色補正用画像表示手段を構成している。
デジタルスチルカメラ（以下、「ＤＳＣ」と称する）１２は画像取得処理部１３の指示の下、ディスプレイパネルＤ０〜Ｄ８に表示されている色補正用の画像を撮影し、その撮影画像であるＲＡＷ画像を示すＲＡＷ画像データを画像取得処理部１３に出力する処理を実施する。
【００１３】
画像取得処理部１３は例えばＣＰＵを実装している半導体集積回路やワンチップマイコンなどから構成されており、色補正用画像表示部１１から色補正用画像の表示完了を示す信号を受けると、画像の撮影指令をＤＳＣ１２に出力して、そのＤＳＣ１２からＲＡＷ画像を示すＲＡＷ画像データを取得する処理を実施する。
なお、ＤＳＣ１２及び画像取得処理部１３から撮影画像取得手段が構成されている。
【００１４】
画像調整処理部１４は例えばＧＰＵなどから構成されており、画像取得処理部１３により取得されたＲＡＷ画像データが示すＲＡＷ画像に対する画像調整処理として、そのＲＡＷ画像のホワイトバランスを調整する処理を実施する。
この実施の形態１では、画像調整処理部１４がＲＡＷ画像に対する画像調整処理として、そのＲＡＷ画像のホワイトバランスを調整する例を説明するが、そのＲＡＷ画像の輝度を調整するようにしてもよい。
なお、画像調整処理部１４は画像調整処理手段を構成している。
【００１５】
目標色度算出処理部１５は例えばＣＰＵを実装している半導体集積回路やワンチップマイコンなどから構成されており、画像調整処理部１４による画像調整処理後の撮影画像から、ディスプレイパネルＤ０〜Ｄ８における目標の色再現特性を表す色度である目標色度を算出する処理を実施する。なお、目標色度算出処理部１５は目標色度算出手段を構成している。
【００１６】
色補正係数算出処理部１６は例えばＣＰＵを実装している半導体集積回路やワンチップマイコンなどから構成されており、目標色度算出処理部１５により算出された目標色度とディスプレイパネルＤ０〜Ｄ８の色度から色補正係数を算出する処理を実施する。なお、色補正係数算出処理部１６は色補正係数算出手段を構成している。
色補正処理部１７は例えばＧＰＵなどから構成されており、色補正係数算出処理部１６により算出された色補正係数を用いて、ディスプレイパネルＤ０〜Ｄ８の色補正処理を実施する。なお、色補正処理部１７は色補正手段を構成している。
【００１７】
図１の例では、色補正処理装置３の構成要素である色補正用画像表示部１１、ＤＳＣ１２、画像取得処理部１３、画像調整処理部１４、目標色度算出処理部１５、色補正係数算出処理部１６及び色補正処理部１７のそれぞれが専用のハードウェアで構成されているものを想定しているが、色補正処理装置３がコンピュータで構成される場合、色補正用画像表示部１１、ＤＳＣ１２、画像取得処理部１３、画像調整処理部１４、目標色度算出処理部１５、色補正係数算出処理部１６及び色補正処理部１７の処理内容を記述しているプログラムをコンピュータのメモリに格納し、当該コンピュータのＣＰＵが当該メモリに格納されているプログラムを実行するようにしてもよい。
図３はこの発明の実施の形態１による色補正処理装置の処理内容（色補正処理方法）を示すフローチャートである。
【００１８】
次に動作について説明する。
色補正処理装置３の色補正用画像表示部１１は、マルチディスプレイ１を構成している９台のディスプレイパネルＤ０〜Ｄ８に対して色補正用の画像を表示する（ステップＳＴ１）。
即ち、色補正用画像表示部１１は、マルチディスプレイ１を構成しているディスプレイパネルＤ０〜Ｄ８に対して、Ｒ（赤色），Ｇ（緑色），Ｂ（青色）の単色の画像と、Ｗ（白色），Ｂｋ（黒色）の画像を同時に表示する。
色補正用画像表示部１１は、色補正用の画像をディスプレイパネルＤ０〜Ｄ８に表示すると、色補正用画像の表示完了を示す信号を画像取得処理部１３に出力する。
【００１９】
画像取得処理部１３は、色補正用画像表示部１１から色補正用画像の表示完了を示す信号を受けると、画像の撮影指令をＤＳＣ１２に出力する。
ＤＳＣ１２は、画像取得処理部１３から画像の撮影指令を受けると、ディスプレイパネルＤ０〜Ｄ８に表示されている色補正用の画像を撮影し、その撮影画像であるＲＡＷ画像を示すＲＡＷ画像データを画像取得処理部１３に出力する（ステップＳＴ２）。
このとき、９台のディスプレイパネルＤ０〜Ｄ８の表示画像の全体が、ＤＳＣ１２の撮影範囲内に収まるように、ＤＳＣ１２の撮影位置が調整されているものとする。あるいは、ＤＳＣ１２の撮影範囲内に収まるように、望遠または広角のレンズを用いて調整されているものとする。
また、ＤＳＣ１２のシャッタースピード及び絞りは目的に応じて調整され、ディスプレイパネルＤ０〜Ｄ８を補正する際には、望遠レンズで少しぼけ気味に調整される。
画像取得処理部１３は、ＤＳＣ１２から出力されたＲＡＷ画像を示すＲＡＷ画像データを取得する。
【００２０】
画像調整処理部１４は、画像取得処理部１３がＲＡＷ画像を示すＲＡＷ画像データを取得すると、そのＲＡＷ画像に対する画像調整処理として、そのＲＡＷ画像のホワイトバランスを調整する（ステップＳＴ３）。
以下、画像調整処理部１４によるホワイトバランスの調整処理を具体的に説明する。
【００２１】
まず、画像調整処理部１４は、画像取得処理部１３から出力されたＲＡＷ画像データを参照して、ディスプレイパネルＤ０〜Ｄ８毎に、Ｗ（白色）の画像が表示されている領域を特定し、Ｗ（白色）の画像の平均ＲＧＢ値を算出する。
画像調整処理部１４は、ディスプレイパネルＤ０〜Ｄ８毎に、Ｗ（白色）の画像の平均ＲＧＢ値を算出すると、それらの平均値の更なる平均を求める。
即ち、ディスプレイパネルＤ０〜Ｄ８毎に求めたＷ（白色）の画像の平均ＲＧＢ値の平均を算出することで、９台のディスプレイパネルＤ０〜Ｄ８の全体（マルチディスプレイ）におけるＷ（白色）の画像の平均ＲＧＢ値（Ｒａｖｅ，Ｇａｖｅ，Ｂａｖｅ）を求める。
【００２２】
画像調整処理部１４は、９台のディスプレイパネルＤ０〜Ｄ８の全体（マルチディスプレイ）におけるＷ（白色）の画像の平均ＲＧＢ値（Ｒａｖｅ，Ｇａｖｅ，Ｂａｖｅ）を求めると、下記の式（１）に示すように、その平均ＲＧＢ値（Ｒａｖｅ，Ｇａｖｅ，Ｂａｖｅ）から、赤色補正用のホワイトバランス補正係数ＷｂＲと青色補正用のホワイトバランス補正係数ＷｂＢを算出する。
ＷｂＲ＝Ｒａｖｅ／Ｇａｖｅ
ＷｂＢ＝Ｂａｖｅ／Ｇａｖｅ
（１）
【００２３】
画像調整処理部１４は、赤色補正用のホワイトバランス補正係数ＷｂＲと青色補正用のホワイトバランス補正係数ＷｂＢを算出すると、下記の式（２）に示すように、そのホワイトバランス補正係数ＷｂＲ，ＷｂＢを用いて、ＲＡＷ画像のホワイトバランスを調整する。
Ｒｏｕｔ＝ＷｂＲ×Ｒｉｎ
Ｇｏｕｔ＝Ｇｉｎ
Ｂｏｕｔ＝ＷｂＢ×Ｂｉｎ
（２）
ただし、式（２）において、Ｒｉｎ，Ｇｉｎ，ＢｉｎはＷ（白色）の画像のＲＧＢ信号であり、Ｒｏｕｔ，Ｇｏｕｔ，Ｂｏｕｔは上記画像のホワイトバランス調整後のＲＧＢ信号である。
なお、画像調整処理部１４は、色補正用の画像の全てに対して、ホワイトバランス調整を実施して、ホワイトバランス調整処理後のＲＡＷ画像とする。
【００２４】
目標色度算出処理部１５は、画像調整処理部１４がＲＡＷ画像のホワイトバランスを調整すると、ホワイトバランス調整処理後のＲＡＷ画像から、９台のディスプレイパネルＤ０〜Ｄ８における目標の色再現特性を表す色度である目標色度を算出する（ステップＳＴ４）。
即ち、目標色度算出処理部１５は、９台のディスプレイパネルＤ０〜Ｄ８における共通の色再現域（Ｒｔ、Ｇｔ、Ｂｔ）を求め、その共通の色再現域（Ｒｔ、Ｇｔ、Ｂｔ）のｘｙ値（色表示値）を目標色度として算出する。
例えば、ディスプレイパネルＤ１の色再現域と、ディスプレイパネルＤ２の色再現域との共通領域を求め、その共通領域とディスプレイパネルＤ３の色再現域との共通領域を求める。
順次、当該共通領域と残りのディスプレイパネルＤの色再現域との共通領域を求めることで、最終的に、ディスプレイパネルＤ０〜Ｄ８における色再現域の共通領域を求め、その共通領域のｘｙ値を目標色度として算出する。
【００２５】
以下、目標色度算出処理部１５による目標色度の算出処理を具体的に説明する。
図４は目標色度算出処理部１５における色再現域の共通領域の算出処理を示すフローチャートである。
まず、目標色度算出処理部１５は、ディスプレイパネルＤ０〜Ｄ８毎に、ホワイトバランス調整処理後のＲＡＷ画像における平均ＲＧＢ値（Ｒｏｕｔ，Ｇｏｕｔ，Ｂｏｕｔ）を算出する。
【００２６】
次に、目標色度算出処理部１５は、下記の式（３）に示すように、平均ＲＧＢ値（Ｒｏｕｔ，Ｇｏｕｔ，Ｂｏｕｔ）からＸＹＺ値（色表示値）を算出する。
0005677021.tif 000002
ただし、式（３）では、マトリクス係数として、ｓＲＧＢの変換係数を用いているが、これは一例に過ぎず、例えば、ディスプレイパネルＤ０〜Ｄ８の測色結果を適用するようにしてもよい。
【００２７】
次に、目標色度算出処理部１５は、下記の式（４）に示すように、ＸＹＺ値からｘｙ値（色表示値）を算出する。
Ｒ（ｘｒ，ｙｒ）  ：  ｘｒ＝Ｘｒ／（Ｘｒ＋Ｙｒ＋Ｚｒ）
ｙｒ＝Ｙｒ／（Ｘｒ＋Ｙｒ＋Ｚｒ）
Ｇ（ｘｇ，ｙｇ）  ：  ｘｇ＝Ｘｇ／（Ｘｇ＋Ｙｇ＋Ｚｇ）
ｙｇ＝Ｙｇ／（Ｘｇ＋Ｙｇ＋Ｚｇ）
Ｂ（ｘｂ，ｙｂ）  ：  ｘｂ＝Ｘｂ／（Ｘｂ＋Ｙｂ＋Ｚｂ）
ｙｂ＝Ｙｂ／（Ｘｂ＋Ｙｂ＋Ｚｂ）
（４）
【００２８】
目標色度算出処理部１５は、ＸＹＺ値からｘｙ値を算出すると、そのｘｙ値を用いて、ディスプレイパネルＤ０〜Ｄ８における色再現域の共通領域を求め、その共通領域のｘｙ値を目標色度として算出する。
ここで、図５は色再現域の共通領域の求め方を示す説明図である。
図５において、Ｒ１（ｘｒ１，ｙｒ１）、Ｇ１（ｘｇ１，ｙｇ１）、Ｂ１（ｘｂ１，ｙｂ１）は、ディスプレイパネルＤ１の色再現域を示す三角形の頂点である。
Ｒ２（ｘｒ２，ｙｒ２）、Ｇ２（ｘｇ２，ｙｇ２）、Ｂ２（ｘｂ２，ｙｂ２）は、ディスプレイパネルＤ２の色再現域を示す三角形の頂点である。
Ｒｔ（ｘｒｔ，ｙｒｔ）、Ｇｔ（ｘｇｔ，ｙｇｔ）、Ｂｔ（ｘｂｔ，ｙｂｔ）は、ディスプレイパネルＤ１の色再現域と、ディスプレイパネルＤ２の色再現域との共通領域を示す三角形の頂点である。
【００２９】
目標色度算出処理部１５は、ディスプレイパネルＤ１の色再現域（Ｒ１，Ｇ１，Ｂ１）と、ディスプレイパネルＤ２の色再現域（Ｒ２，Ｇ２，Ｂ２）との共通領域（Ｒｔ，Ｇｔ，Ｂｔ）を求める場合、まず、頂点Ｒ１（ｘｒ１，ｙｒ１）と頂点Ｒ２（ｘｒ２，ｙｒ２）が一致しているか否かを判定する（ステップＳＴ１１）。
目標色度算出処理部１５は、頂点Ｒ１（ｘｒ１，ｙｒ１）と頂点Ｒ２（ｘｒ２，ｙｒ２）が一致している場合（Ｒ１＝Ｒ２）、共通領域の一つの頂点であるＲｔ（ｘｒｔ，ｙｒｔ）を下記のように設定する（ステップＳＴ１２）。
Ｒｔ（ｘｒｔ，ｙｒｔ）＝Ｒ１（ｘｒ１，ｙｒ１）＝Ｒ２（ｘｒ２，ｙｒ２）
【００３０】
図５の例では、頂点Ｒ１（ｘｒ１，ｙｒ１）と頂点Ｒ２（ｘｒ２，ｙｒ２）が一致していないため（Ｒ１≠Ｒ２）、目標色度算出処理部１５は、頂点Ｒ１（ｘｒ１，ｙｒ１）が三角形Ｒ２Ｇ２Ｂ２に含まれている（内包されている）か否かを判定する（ステップＳＴ１３）。
頂点Ｒ１（ｘｒ１，ｙｒ１）が三角形Ｒ２Ｇ２Ｂ２に内包されているか否かの判定は、次のように行う。
内包の判定対象の点である頂点Ｒ１（ｘｒ１，ｙｒ１）から、三角形Ｒ２Ｇ２Ｂ２の頂点（Ｒ２，Ｇ２，Ｂ２）までのベクトルを求める。
ベクトルＲ１Ｒ２＝（ｘｒ２−ｘｒ１，ｙｒ２−ｙｒ１）
ベクトルＲ１Ｇ２＝（ｘｇ２−ｘｒ１，ｙｇ２−ｙｒ１）
ベクトルＲ１Ｂ２＝（ｘｂ２−ｘｒ１，ｙｂ２−ｙｒ１）
（５）
【００３１】
次に、３つのベクトルＲ１Ｒ２、ベクトルＲ１Ｇ２、ベクトルＲ１Ｂ２間の外積をそれぞれ求める。
ベクトルＲ１Ｒ２×ベクトルＲ１Ｇ２
＝（ｘｒ２−ｘｒ１）×（ｙｇ２−ｙｒ１）−（ｙｒ２−ｙｒ１）×（ｘｇ２−ｘｒ１）
ベクトルＲ１Ｇ２×ベクトルＲ１Ｂ２
＝（ｘｇ２−ｘｒ１）×（ｙｂ２−ｙｒ１）−（ｙｇ２−ｙｒ１）×（ｘｂ２−ｘｒ１）
ベクトルＲ１Ｂ２×ベクトルＲ１Ｒ２
＝（ｘｂ２−ｘｒ１）×（ｙｒ２−ｙｒ１）−（ｙｂ２−ｙｒ１）×（ｘｒ２−ｘｒ１）
（６）
【００３２】
３つのベクトルＲ１Ｒ２、ベクトルＲ１Ｇ２、ベクトルＲ１Ｂ２間の外積の全てが０以上であれば、頂点Ｒ１（ｘｒ１，ｙｒ１）は、三角形Ｒ２Ｇ２Ｂ２に内包されていると判定し、１つでも負の値であれば、頂点Ｒ１（ｘｒ１，ｙｒ１）は、三角形Ｒ２Ｇ２Ｂ２に内包されていないと判定する。
目標色度算出処理部１５は、頂点Ｒ１（ｘｒ１，ｙｒ１）が三角形Ｒ２Ｇ２Ｂ２に内包されている場合、共通領域の一つの頂点であるＲｔ（ｘｒｔ，ｙｒｔ）を下記のように設定する（ステップＳＴ１４）。
Ｒｔ（ｘｒｔ，ｙｒｔ）＝Ｒ１（ｘｒ１，ｙｒ１）
【００３３】
図５の例では、頂点Ｒ１（ｘｒ１，ｙｒ１）が三角形Ｒ２Ｇ２Ｂ２に内包されていないため、目標色度算出処理部１５は、頂点Ｒ２（ｘｒ２，ｙｒ２）が三角形Ｒ１Ｇ１Ｂ１に含まれている（内包されている）か否かを判定する（ステップＳＴ１５）。
頂点Ｒ２（ｘｒ２，ｙｒ２）が三角形Ｒ１Ｇ１Ｂ１に内包されているか否かの判定は、次のように行う。
内包の判定対象の点である頂点Ｒ２（ｘｒ２，ｙｒ２）から、三角形Ｒ１Ｇ１Ｂ１の頂点（Ｒ１，Ｇ１，Ｂ１）までのベクトルを求める。
ベクトルＲ２Ｒ１＝（ｘｒ１−ｘｒ２，ｙｒ１−ｙｒ２）
ベクトルＲ２Ｇ１＝（ｘｇ１−ｘｒ２，ｙｇ１−ｙｒ２）
ベクトルＲ２Ｂ１＝（ｘｂ１−ｘｒ２，ｙｂ１−ｙｒ２）
（７）
【００３４】
次に、３つのベクトルＲ２Ｒ１、ベクトルＲ２Ｇ１、ベクトルＲ２Ｂ１間の外積をそれぞれ求める。
ベクトルＲ２Ｒ１×ベクトルＲ２Ｇ１
＝（ｘｒ１−ｘｒ２）×（ｙｇ１−ｙｒ２）−（ｙｒ１−ｙｒ２）×（ｘｇ１−ｘｒ２）
ベクトルＲ２Ｇ１×ベクトルＲ２Ｂ１
＝（ｘｇ１−ｘｒ２）×（ｙｂ１−ｙｒ２）−（ｙｇ１−ｙｒ２）×（ｘｂ１−ｘｒ２）
ベクトルＲ２Ｂ１×ベクトルＲ２Ｒ１
＝（ｘｂ１−ｘｒ２）×（ｙｒ１−ｙｒ２）−（ｙｂ１−ｙｒ２）×（ｘｒ１−ｘｒ２）
（８）
【００３５】
３つのベクトルＲ２Ｒ１、ベクトルＲ２Ｇ１、ベクトルＲ２Ｂ１間の外積の全てが０以上であれば、頂点Ｒ２（ｘｒ２，ｙｒ２）は、三角形Ｒ１Ｇ１Ｂ１に内包されていると判定し、１つでも負の値であれば、頂点Ｒ２（ｘｒ２，ｙｒ２）は、三角形Ｒ１Ｇ１Ｂ１に内包されていないと判定する。
目標色度算出処理部１５は、頂点Ｒ２（ｘｒ２，ｙｒ２）が三角形Ｒ１Ｇ１Ｂ１に内包されている場合、共通領域の一つの頂点であるＲｔ（ｘｒｔ，ｙｒｔ）を下記のように設定する（ステップＳＴ１６）。
Ｒｔ（ｘｒｔ，ｙｒｔ）＝Ｒ２（ｘｒ２，ｙｒ２）
【００３６】
図５の例では、頂点Ｒ２（ｘｒ２，ｙｒ２）が三角形Ｒ１Ｇ１Ｂ１に内包されていないため、目標色度算出処理部１５は、線分Ｒ１Ｇ１と線分Ｒ２Ｂ２が交わっているか否かを判定する（ステップＳＴ１７）。
線分Ｒ１Ｇ１と線分Ｒ２Ｂ２が交わっているか否かの判定は、次のように行う。
線分Ｒ１Ｇ１と線分Ｒ２Ｂ２の交点をＴ（ｘｒｔ，ｙｒｔ）として、下記の式（９）を解く際、０≦ｕ，ｖ≦１であれば、交点があると判定する。０≦ｕ，ｖ≦１でなければ、交点がないと判定する。
ｘｒｔ＝ｘｒ１＋ｕ（ｘｇ１−ｘｒ１）
ｘｒ１＋ｕ（ｘｇ１−ｘｒ１）＝ｘｒ２＋ｖ（ｘｂ２−ｘｒ２）
ｘｒｔ＝ｘｒ２＋ｖ（ｘｂ２−ｘｒ２）
ｕ（ｘｇ１−ｘｒ１）＋ｖ（ｘｒ２−ｘｂ２）＝ｘｒ２−ｘｒ１
ｙｒｔ＝ｙｒ１＋ｕ（ｙｇ１−ｙｒ１）
ｙｒ１＋ｕ（ｙｇ１−ｙｒ１）＝ｙｒ２＋ｖ（ｙｂ２−ｙｒ２）
ｙｒｔ＝ｙｒ２＋ｖ（ｙｂ２−ｙｒ２）
ｕ（ｙｇ１−ｙｒ１）＋ｖ（ｙｒ２−ｙｂ２）＝ｙｒ２−ｙｒ１
（９）
【００３７】
目標色度算出処理部１５は、線分Ｒ１Ｇ１と線分Ｒ２Ｂ２が交わっている場合、共通領域の一つの頂点であるＲｔ（ｘｒｔ，ｙｒｔ）を、線分Ｒ１Ｇ１と線分Ｒ２Ｂ２の交点に設定する（ステップＳＴ１８）。
図５の例では、線分Ｒ１Ｇ１と線分Ｒ２Ｂ２が交わっているため、頂点Ｒｔ（ｘｒｔ，ｙｒｔ）が、線分Ｒ１Ｇ１と線分Ｒ２Ｂ２の交点に設定される。
線分Ｒ１Ｇ１と線分Ｒ２Ｂ２が交わっていない場合、共通領域の一つの頂点であるＲｔ（ｘｒｔ，ｙｒｔ）を、線分Ｒ１Ｂ１と線分Ｒ２Ｇ２の交点に設定する（ステップＳＴ１９）。
【００３８】
ここまでは、目標色度算出処理部１５が、共通領域の一つの頂点であるＲｔ（ｘｒｔ，ｙｒｔ）を設定する動作を説明したが、共通領域の他の頂点であるＧｔ（ｘｇｔ，ｙｇｔ），Ｂｔ（ｘｂｔ，ｙｂｔ）についても、頂点Ｒｔ（ｘｒｔ，ｙｒｔ）を設定する場合と同様の方法で設定する。
図５の例では、頂点Ｇ１と頂点Ｇ２が一致しておらず、頂点Ｇ１（ｘｇ１，ｙｇ１）が三角形Ｒ２Ｇ２Ｂ２に内包されていない。また、頂点Ｇ２（ｘｇ２，ｙｇ２）が三角形Ｒ１Ｇ１Ｂ１に内包されていない。しかし、線分Ｇ１Ｂ１と線分Ｇ２Ｒ２が交わっているため、頂点Ｇｔ（ｘｇｔ，ｙｇｔ）は、線分Ｇ１Ｂ１と線分Ｇ２Ｒ２の交点に設定される。
また、図５の例では、頂点Ｂ１と頂点Ｂ２が一致していないが、頂点Ｂ２（ｘｂ２，ｙｂ２）が三角形Ｒ１Ｇ１Ｂ１に内包されているため、頂点Ｂｔ（ｘｂｔ，ｙｂｔ）は、頂点Ｂ２と一致する点に設定される。
【００３９】
ここまでは、目標色度算出処理部１５が、ディスプレイパネルＤ１の色再現域と、ディスプレイパネルＤ２の色再現域との共通領域を求める動作を説明したが、同様の方法で、順次、当該共通領域と残りのディスプレイパネルＤの色再現域との共通領域を求めることで、最終的に、ディスプレイパネルＤ０〜Ｄ８における色再現域の共通領域を求める。
目標色度算出処理部１５は、ディスプレイパネルＤ０〜Ｄ８における色再現域の共通領域（Ｒｔ，Ｇｔ，Ｂｔ）を求めると、その共通領域（Ｒｔ，Ｇｔ，Ｂｔ）のｘｙ値を目標色度に決定する。
即ち、目標色度算出処理部１５は、Ｒの目標色度を（ｘｒｔ，ｙｒｔ）、Ｇの目標色度を（ｘｇｔ，ｙｇｔ）、Ｂの目標色度を（ｘｂｔ，ｙｂｔ）に決定する。
【００４０】
色補正係数算出処理部１６は、目標色度算出処理部１５が目標色度を算出すると、下記の式（１０）に示すように、その目標色度とディスプレイパネルＤ０〜Ｄ８の色度から色補正係数として、色補正用マトリクス係数を算出する（ステップＳＴ５）。ただし、色補正用マトリクス係数は、ディスプレイパネルＤ０〜Ｄ８毎に算出される。
0005677021.tif 000003
【００４１】
式（１０）において、
・ディスプレイパネルＤのＲＧＢ，ＢｋのＸＹＺ値
Ｒ  ：（Ｘｒ，Ｙｒ，Ｚｒ）
Ｇ  ：（Ｘｇ，Ｙｇ，Ｚｇ）
Ｂ  ：（Ｘｂ，Ｙｂ，Ｚｂ）
Ｂｋ：（Ｘｂｋ，Ｙｂｋ，Ｚｂｋ）
・目標色度
Ｒｔ（Ｘｒｔ，Ｙｒｔ，Ｚｒｔ）
Ｇｔ（Ｘｇｔ，Ｙｇｔ，Ｚｇｔ）
Ｂｔ（Ｘｂｔ，Ｙｂｔ，Ｚｂｔ）
ただし、目標の輝度Ｙは、ディスプレイパネルＤ０〜Ｄ８の中の最小輝度を
目標輝度値とする。
Ｙｒｔ＝（ディスプレイパネルＤ０〜Ｄ８における最小のＹｒ）
Ｙｇｔ＝（ディスプレイパネルＤ０〜Ｄ８における最小のＹｇ）
Ｙｂｔ＝（ディスプレイパネルＤ０〜Ｄ８における最小のＹｂ）
・色補正マトリクス係数
ＲＲ、ＧＲ、ＢＲ
ＲＧ、ＧＧ、ＧＢ
ＲＢ、ＧＢ、ＢＢ
【００４２】
ここでは、目標の輝度Ｙが、ディスプレイパネルＤ０〜Ｄ８の中の最小輝度である例を示したが、これは一例に過ぎず、例えば、ディスプレイパネルＤ０〜Ｄ８の輝度の平均値や、中央値などの統計値を用いるようにしてもよい。
【００４３】
色補正処理部１７は、色補正係数算出処理部１６が色補正用マトリクス係数を算出すると、下記の式（１１）に示すように、その色補正用マトリクス係数を用いて、ディスプレイパネルＤ０〜Ｄ８の色補正処理（色補正のマトリクス演算）を実施する（ステップＳＴ６）。
0005677021.tif 000004
ただし、式（１１）において、Ｒ＿ｉｎ，Ｇ＿ｉｎ，Ｂ＿ｉｎはディスプレイパネルＤ０〜Ｄ８に入力されるＲＧＢ値であり、Ｒ＿ｏｕｔ，Ｇ＿ｏｕｔ，Ｂ＿ｏｕｔはディスプレイパネルＤ０〜Ｄ８から出力されるＲＧＢ値である。
【００４４】
以上で明らかなように、この実施の形態１によれば、マルチディスプレイ１を構成しているディスプレイパネルＤ０〜Ｄ８に対して色補正用の画像を表示する色補正用画像表示部１１と、ディスプレイパネルＤ０〜Ｄ８に表示されている色補正用の画像を撮影するＤＳＣ１２から撮影画像であるＲＡＷ画像を取得する画像取得処理部１３と、画像取得処理部１３により取得されたＲＡＷ画像に対するホワイトバランス調整を行う画像調整処理部１４と、画像調整処理部１４によるホワイトバランス調整処理後のＲＡＷ画像から、ディスプレイパネルＤ０〜Ｄ８における目標の色再現特性を表す色度である目標色度を算出する目標色度算出処理部１５と、目標色度算出処理部１５により算出された目標色度とディスプレイパネルＤ０〜Ｄ８の色度から色補正係数を算出する色補正係数算出処理部１６とを設け、色補正処理部１７が色補正係数算出処理部１６により算出された色補正係数を用いて、ディスプレイパネルＤ０〜Ｄ８の色補正を行うように構成したので、ディスプレイパネルＤ０〜Ｄ８間の色ずれを精度よく補正することができる効果を奏する。
即ち、ＤＳＣ１２により撮影された画像の調整処理を実施したのち、調整処理後の画像から色再現域の共通領域を求めて目標色度を算出するようにしているので、ディスプレイパネルＤ０〜Ｄ８の画像間でホワイトバランスや輝度が異なっていても、ディスプレイパネルＤ０〜Ｄ８の色補正を高精度に行うことができる。また、ＤＳＣ１２を用いても、簡単に色補正マトリクス係数を算出することができる。
【００４５】
なお、この実施の形態１では、マルチディスプレイ１が３×３のディスプレイパネルＤ０〜Ｄ８で構成されているものを示したが、マルチディスプレイ１を構成しているディスプレイパネルの台数は、この限りではなく、２台以上のディスプレイパネルであれば、何台でも構わない。
【００４６】
実施の形態２．
上記実施の形態１では、ディスプレイパネルＤ０〜Ｄ８毎に、当該ディスプレイパネルの色補正を行うものについて示したが、これに限るものではなく、例えば、ＬＥＤ表示パネルのように、表示ディスプレイの素子毎に色補正を行う場合でも、本願発明を適用することができる。
以下、表示ディスプレイの素子毎に色補正を行う方法を説明する。
【００４７】
色補正用画像表示部１１、画像取得処理部１３、画像調整処理部１４、目標色度算出処理部１５、色補正係数算出処理部１６及び色補正処理部１７は、基本的には上記実施の形態１と同様の処理を行うが、処理単位がディスプレイパネル毎ではなく、ディスプレイパネルの素子毎である点で相違している。
【００４８】
即ち、色補正用画像表示部１１は、色補正用の画像をディスプレイパネルＤ０〜Ｄ８の全ての素子に表示する。
画像取得処理部１３は、ＤＳＣ１２を用いて、色補正用の画像を撮影する際、ディスプレイパネルＤ０〜Ｄ８における素子の一つ一つの分離が可能な程度にボケるように調整して撮影する。
また、調整した素子の全てが一枚の画像に入るように画角を設定する。ただし、調整対象の素子が多過ぎる場合には、画像を分割して撮影する。
【００４９】
画像調整処理部１４は、Ｗ（白色）の画像から平均ＲＧＢ値を求める際、ディスプレイパネルＤ０〜Ｄ８における素子毎に平均ＲＧＢ値を算出し、それらの平均値の更なる平均を求めることで、画像の平均ＲＧＢ値（Ｒａｖｅ，Ｇａｖｅ，Ｂａｖｅ）を求める。
そして、画像調整処理部１４は、上記実施の形態１と同様に、式（１）によって、その平均ＲＧＢ値（Ｒａｖｅ，Ｇａｖｅ，Ｂａｖｅ）から、赤色補正用のホワイトバランス補正係数ＷｂＲと青色補正用のホワイトバランス補正係数ＷｂＢを算出する。
画像調整処理部１４は、赤色補正用のホワイトバランス補正係数ＷｂＲと青色補正用のホワイトバランス補正係数ＷｂＢを算出すると、上記実施の形態１と同様に、式（２）によって、そのホワイトバランス補正係数ＷｂＲ，ＷｂＢを用いて、ＲＡＷ画像のホワイトバランスを調整する。
なお、画像調整処理部１４は、色補正用の画像の全てに対して、ホワイトバランス調整を実施して、ホワイトバランス調整処理後のＲＡＷ画像とする。
【００５０】
目標色度算出処理部１５は、９台のディスプレイパネルＤ０〜Ｄ８における各素子の共通の色再現域（Ｒｔ、Ｇｔ、Ｂｔ）を求めて、ディスプレイパネルＤ０〜Ｄ８における各素子の目標色度を算出する。
即ち、上記実施の形態１では、ホワイトバランス調整処理後のＲＡＷ画像における平均ＲＧＢ値（Ｒｏｕｔ，Ｇｏｕｔ，Ｂｏｕｔ）を算出する際、ディスプレイパネルＤ０〜Ｄ８毎に、平均ＲＧＢ値（Ｒｏｕｔ，Ｇｏｕｔ，Ｂｏｕｔ）を算出しているが、この実施の形態２では、ディスプレイパネルＤ０〜Ｄ８における素子毎に、平均ＲＧＢ値（Ｒｏｕｔ，Ｇｏｕｔ，Ｂｏｕｔ）を算出する。
平均ＲＧＢ値（Ｒｏｕｔ，Ｇｏｕｔ，Ｂｏｕｔ）の算出後は、上記実施の形態１と同様の処理を実施することで、ディスプレイパネルＤ０〜Ｄ８における各素子の目標色度を算出する。
【００５１】
色補正係数算出処理部１６は、目標色度算出処理部１５が各素子の目標色度を算出すると、各素子の目標色度とディスプレイパネルＤ０〜Ｄ８における各素子の色度から、上記の式（１０）を用いて、素子毎の色補正用マトリクス係数を算出する。
色補正処理部１７は、色補正係数算出処理部１６が色補正用マトリクス係数を算出すると、上記の式（１１）によって、その色補正用マトリクス係数を用いて、ディスプレイパネルＤ０〜Ｄ８における各素子の色補正処理（色補正のマトリクス演算）を実施する。
【００５２】
この実施の形態２によれば、ＤＳＣ１２により撮影された画像の調整処理を実施したのち、調整処理後の画像から各素子の色再現域の共通領域を求めて目標色度を算出するようにしているので、ディスプレイパネルＤ０〜Ｄ８の素子毎に色補正が行われるようになり、細かい色むらなどを解消することができる効果を奏する。
【００５３】
実施の形態３．
上記実施の形態１では、目標色度算出処理部１５が、画像調整処理部１４によるホワイトバランス調整処理後のＲＡＷ画像から、ディスプレイパネルＤ０〜Ｄ８の目標色度を算出するものについて示したが、ディスプレイパネルＤ０〜Ｄ８の目標色度を算出する際、目標色度の算出対象のディスプレイパネルが、例えば、ディスプレイパネルＤ０であれば、ディスプレイパネルＤ０の周辺に配置されているディスプレイパネルＤ１〜Ｄ８のフィルタ係数（例えば、イプシロンフィルタ係数、ローパスフィルタ係数など）を考慮して、ディスプレイパネルＤ０の目標色度を算出するようにしてもよい。
【００５４】
図６（ａ）はマルチディスプレイを構成しているディスプレイパネルＤ０〜Ｄ８の配置を示し、（ｂ）はディスプレイパネルＤ０〜Ｄ８に設定されているフィルタ係数Ｋ０〜Ｋ８を示している。
目標色度算出処理部１５は、上記実施の形態１と同様にして、ディスプレイパネルＤ０〜Ｄ８における色再現域の共通領域（Ｒｔ，Ｇｔ，Ｂｔ）を求める。
【００５５】
上記実施の形態１では、ディスプレイパネルＤ０〜Ｄ８における色再現域の共通領域（Ｒｔ，Ｇｔ，Ｂｔ）のｘｙ値を目標色度に決定（Ｒの目標色度を（ｘｒｔ，ｙｒｔ）、Ｇの目標色度を（ｘｇｔ，ｙｇｔ）、Ｂの目標色度を（ｘｂｔ，ｙｂｔ）に決定）しているが、この実施の形態２では、共通領域（Ｒｔ，Ｇｔ，Ｂｔ）のｘｙ値を算出する際、目標色度の算出対象のディスプレイパネルが、例えば、ディスプレイパネルＤ０であれば、ディスプレイパネルＤ０の周辺に配置されているディスプレイパネルＤ１〜Ｄ８のフィルタ係数Ｋ０〜Ｋ８を考慮して、共通領域（Ｒｔ，Ｇｔ，Ｂｔ）のｘｙ値を算出する。
例えば、Ｒの目標色度を示すｘｙ値の一つをｘｒ＿ｔとすると、下記の式（１２）に示すように、ディスプレイパネルＤ０〜Ｄ８のｘｙ値であるｘｒ＿Ｄｉ（ｉ＝０，１，２，・・・，８）に対して、ディスプレイパネルＤ０〜Ｄ８のフィルタ係数Ｋｉ（ｉ＝０，１，２，・・・，８）を乗算し、その乗算結果の総和をｘｒ＿ｔとしている。
0005677021.tif 000005
【００５６】
また、Ｒの目標色度を示すｘｙ値の一つをｙｒ＿ｔとすると、下記の式（１３）に示すように、ディスプレイパネルＤ０〜Ｄ８のｘｙ値であるｙｒ＿Ｄｉ（ｉ＝０，１，２，・・・，８）に対して、ディスプレイパネルＤ０〜Ｄ８のフィルタ係数Ｋｉ（ｉ＝０，１，２，・・・，８）を乗算し、その乗算結果の総和をｙｒ＿ｔとしている。
0005677021.tif 000006
【００５７】
ここでは、Ｒの目標色度Ｒｔ（ｘｒ＿ｔ，ｙｒ＿ｔ）を算出する例を示したが、Ｇの目標色度Ｇｔ（ｘｇ＿ｔ，ｙｇ＿ｔ）、Ｂの目標色度Ｂｔ（ｘｂ＿ｔ，ｙｂ＿ｔ）についても、Ｒの目標色度Ｒｔ（ｘｒ＿ｔ，ｙｒ＿ｔ）と同様に、フィルタ係数Ｋｉを考慮して算出する。
【００５８】
以上で明らかなように、この実施の形態３によれば、ディスプレイパネルＤ０〜Ｄ８の目標色度を算出する際、目標色度の算出対象のディスプレイパネルが、例えば、ディスプレイパネルＤ０であれば、ディスプレイパネルＤ０の周辺に配置されているディスプレイパネルＤ１〜Ｄ８のフィルタ係数を考慮して、ディスプレイパネルＤ０の目標色度を算出するように構成したので、色再現域を狭めることなく、ディスプレイパネルＤ０〜Ｄ８の色補正を行うことができる効果を奏する。
なお、フィルタ係数Ｋｉとして、例えば、イプシロンフィルタ係数を設定すると、隣り合うディスプレイパネル間の色ムラをより高精度に補正することができる。
【００５９】
ここでは、上記実施の形態１に適用して、ディスプレイパネルＤ０〜Ｄ８間の色ずれを補正するものについて示したが、上記実施の形態２に適用して、ディスプレイパネルＤ０〜Ｄ８における素子間の色ずれを補正するようにしてもよい。
また、目標の輝度Ｙの算出する際に、フィルタリング技術（周辺に配置されているディスプレイパネルのフィルタ係数を考慮する技術）を適用するようにしてもよい。
【００６０】
実施の形態４．
図７は、この発明の実施の形態１による色補正処理装置が実装されているマルチディスプレイ装置を示す構成図である。
この実施の形態４では、例えば、デジタルサインネージシステムのように、複数のマルチディスプレイが設置される形態に対応可能な例を示している。
【００６１】
図４において、マルチディスプレイ１ａ，１ｂは複数のディスプレイパネルから構成されている大画面の表示装置である。
図７の例では、２台のディスプレイパネルＤ１，Ｄ２が並べられることでマルチディスプレイ１ａが構成され、２台のディスプレイパネルＤ３，Ｄ４が並べられることでマルチディスプレイ１ｂが構成されている。
図７では、２台のディスプレイパネルＤが並べられている例を示しているが、ディスプレイパネルＤの台数が２台に限るものでないことは言うまでもない。
また、マルチディスプレイの台数についても、２台に限るものでないことは言うまでもない。
【００６２】
画像表示装置４は色補正処理装置５によりディスプレイパネルＤ１，Ｄ２間及びディスプレイパネルＤ３，Ｄ４間の色ずれが補正された後、各種の画像をディスプレイパネルＤ１〜Ｄ４に表示する装置である。
色補正処理装置５はディスプレイパネルＤ１，Ｄ２間の色ずれを補正するとともに、ディスプレイパネルＤ３，Ｄ４間の色ずれを補正する装置である。
【００６３】
ＤＳＣ１２ａは画像取得処理部２２の指示の下、ディスプレイパネルＤ１，Ｄ２に表示されている色補正用の画像を撮影し、その撮影画像であるＲＡＷ画像を示すＲＡＷ画像データを画像取得処理部２２に出力する処理を実施する。
ＤＳＣ１２ｂは画像取得処理部２２の指示の下、ディスプレイパネルＤ３，Ｄ４に表示されている色補正用の画像を撮影し、その撮影画像であるＲＡＷ画像を示すＲＡＷ画像データを画像取得処理部２２に出力する処理を実施する。
色補正用画像表示部２１は例えばＧＰＵなどから構成されており、マルチディスプレイ１ａを構成している２台のディスプレイパネルＤ１，Ｄ２に対して色補正用の画像を表示するとともに、マルチディスプレイ１ｂを構成している２台のディスプレイパネルＤ３，Ｄ４に対して色補正用の画像を表示する処理を実施する。なお、色補正用画像表示部２１は色補正用画像表示手段を構成している。
【００６４】
画像取得処理部２２は例えばＣＰＵを実装している半導体集積回路やワンチップマイコンなどから構成されており、色補正用画像表示部２１から色補正用画像の表示完了を示す信号を受けると、画像の撮影指令をＤＳＣ１２ａ，１２ｂに出力して、そのＤＳＣ１２ａ，１２ｂからＲＡＷ画像を示すＲＡＷ画像データを取得する処理を実施する。
なお、ＤＳＣ１２ａ，１２ｂ及び画像取得処理部２２から撮影画像取得手段が構成されている。
【００６５】
画像調整処理部２３は例えばＧＰＵなどから構成されており、画像取得処理部２２により取得されたＲＡＷ画像データが示すＲＡＷ画像に対する画像調整処理として、そのＲＡＷ画像のホワイトバランスを調整する処理を実施する。
この実施の形態１では、画像調整処理部２３がＲＡＷ画像に対する画像調整処理として、そのＲＡＷ画像のホワイトバランスを調整する例を説明するが、そのＲＡＷ画像の輝度を調整するようにしてもよい。
なお、画像調整処理部２３は画像調整処理手段を構成している。
【００６６】
目標色度算出処理部２４は例えばＣＰＵを実装している半導体集積回路やワンチップマイコンなどから構成されており、画像調整処理部２３による画像調整処理後の撮影画像から、２台のディスプレイパネルＤ１，Ｄ２における目標の色再現特性を表す色度である目標色度を算出するとともに、２台のディスプレイパネルＤ３，Ｄ４における目標の色再現特性を表す色度である目標色度を算出する処理を実施する。なお、目標色度算出処理部２４は目標色度算出手段を構成している。
【００６７】
色補正係数算出処理部２５は例えばＣＰＵを実装している半導体集積回路やワンチップマイコンなどから構成されており、目標色度算出処理部２４により算出された目標色度とディスプレイパネルＤ１〜Ｄ４の色度から色補正係数を算出する処理を実施する。なお、色補正係数算出処理部２５は色補正係数算出手段を構成している。
色補正処理部２６は例えばＧＰＵなどから構成されており、色補正係数算出処理部２５により算出された色補正係数を用いて、ディスプレイパネルＤ１〜Ｄ４の色補正処理を実施する。なお、色補正処理部２６は色補正手段を構成している。
【００６８】
図７の例では、色補正処理装置５の構成要素である色補正用画像表示部２１、ＤＳＣ１２ａ，１２ｂ、画像取得処理部２２、画像調整処理部２３、目標色度算出処理部２４、色補正係数算出処理部２５及び色補正処理部２６のそれぞれが専用のハードウェアで構成されているものを想定しているが、色補正処理装置５がコンピュータで構成される場合、色補正用画像表示部２１、ＤＳＣ１２ａ，１２ｂ、画像取得処理部２２、画像調整処理部２３、目標色度算出処理部２４、色補正係数算出処理部２５及び色補正処理部２６の処理内容を記述しているプログラムをコンピュータのメモリに格納し、当該コンピュータのＣＰＵが当該メモリに格納されているプログラムを実行するようにしてもよい。
【００６９】
次に動作について説明する。
色補正処理装置５の色補正用画像表示部２１は、マルチディスプレイ１ａを構成している２台のディスプレイパネルＤ１，Ｄ２に対して色補正用の画像を表示するとともに、マルチディスプレイ１ｂを構成している２台のディスプレイパネルＤ３，Ｄ４に対して色補正用の画像を表示する。
即ち、色補正用画像表示部２１は、図１の色補正用画像表示部１１と同様に、マルチディスプレイ１ａ，１ｂを構成しているディスプレイパネルＤ１〜Ｄ４に対して、Ｒ（赤色），Ｇ（緑色），Ｂ（青色）の単色の画像と、Ｗ（白色），Ｂｋ（黒色）の画像を同時に表示する。
色補正用画像表示部２１は、色補正用の画像をディスプレイパネルＤ１〜Ｄ４に表示すると、色補正用画像の表示完了を示す信号を画像取得処理部２２に出力する。
【００７０】
画像取得処理部２２は、色補正用画像表示部２１から色補正用画像の表示完了を示す信号を受けると、画像の撮影指令をＤＳＣ１２ａ，１２ｂに出力する。
ＤＳＣ１２ａ（ＤＳＣ１２ｂ）は、画像取得処理部２２から画像の撮影指令を受けると、ディスプレイパネルＤ１，Ｄ２（Ｄ３，Ｄ４）に表示されている色補正用の画像を撮影し、その撮影画像であるＲＡＷ画像を示すＲＡＷ画像データを画像取得処理部２２に出力する。
このとき、２台のディスプレイパネルＤ１，Ｄ２（Ｄ３，Ｄ４）の表示画像の全体が、ＤＳＣ１２ａ（ＤＳＣ１２ｂ）の撮影範囲内に収まるように、ＤＳＣ１２ａ（ＤＳＣ１２ｂ）の撮影位置が調整されているものとする。あるいは、ＤＳＣ１２ａ（ＤＳＣ１２ｂ）の撮影範囲内に収まるように、望遠または広角のレンズを用いて調整されているものとする。
また、ＤＳＣ１２ａ（ＤＳＣ１２ｂ）のシャッタースピード及び絞りは目的に応じて調整され、ディスプレイパネルＤ１，Ｄ２（Ｄ３，Ｄ４）を補正する際には、望遠レンズで少しぼけ気味に調整される。
画像取得処理部２２は、ＤＳＣ１２ａ，１２ｂから出力されたＲＡＷ画像を示すＲＡＷ画像データを取得する。
【００７１】
画像調整処理部２３は、画像取得処理部２２がＲＡＷ画像を示すＲＡＷ画像データを取得すると、図１の画像調整処理部１４と同様に、そのＲＡＷ画像に対する画像調整処理として、そのＲＡＷ画像のホワイトバランスを調整する。
【００７２】
目標色度算出処理部２４は、画像調整処理部２３がＲＡＷ画像のホワイトバランスを調整すると、ホワイトバランス調整処理後のＲＡＷ画像から、２台のディスプレイパネルＤ１，Ｄ２における目標の色再現特性を表す色度である目標色度を算出するとともに、２台のディスプレイパネルＤ３，Ｄ４における目標の色再現特性を表す色度である目標色度を算出する。
目標色度算出処理部２４による目標色度の算出処理は、図１の目標色度算出処理部１５による目標色度の算出処理と同様であるため詳細な説明を省略する。
ただし、図７の例では、ディスプレイパネルＤ１の色再現域と、ディスプレイパネルＤ２の色再現域との共通領域を求めることで、ディスプレイパネルＤ１，Ｄ２の目標色度を算出し、ディスプレイパネルＤ３の色再現域と、ディスプレイパネルＤ４の色再現域との共通領域を求めることで、ディスプレイパネルＤ３，Ｄ４の目標色度を算出する。
【００７３】
色補正係数算出処理部２５は、目標色度算出処理部２４が目標色度を算出すると、図１の色補正係数算出処理部１６と同様の方法で、ディスプレイパネルＤ１，Ｄ２の目標色度とディスプレイパネルＤ１，Ｄ２の色度から色補正係数として、色補正用マトリクス係数を算出する。
また、ディスプレイパネルＤ３，Ｄ４の目標色度とディスプレイパネルＤ３，Ｄ４の色度から色補正係数として、色補正用マトリクス係数を算出する。
ただし、色補正用マトリクス係数は、ディスプレイパネルＤ１〜Ｄ４毎に算出される。
【００７４】
色補正処理部２６は、色補正係数算出処理部２５が色補正用マトリクス係数を算出すると、図１の色補正処理部１７と同様に、その色補正用マトリクス係数を用いて、ディスプレイパネルＤ１〜Ｄ４の色補正処理（色補正のマトリクス演算）を実施する。
【００７５】
以上で明らかなように、この実施の形態４によれば、複数のマルチディスプレイ１ａ，１ｂが設置されている場合、色補正用画像表示部２１がマルチディスプレイ１ａ，１ｂ毎に、当該マルチディスプレイを構成しているディスプレイパネルＤ１，Ｄ２（Ｄ３，Ｄ４）に対して色補正用の画像を表示し、画像取得処理部２２が当該マルチディスプレイを構成しているディスプレイパネルＤ１，Ｄ２（Ｄ３，Ｄ４）に表示されている色補正用の画像を撮影して、その撮影画像を取得するように構成したので、例えば、デジタルサインネージシステムのように、複数のマルチディスプレイが設置される場合でも、各マルチディスプレイを構成している複数のディスプレイパネル間の色ずれを精度よく補正することができる効果を奏する。
【００７６】
なお、この実施の形態４では、マルチディスプレイ１ａ，１ｂ毎に、当該マルチディスプレイを構成しているディスプレイパネルＤ１，Ｄ２（または、Ｄ３，Ｄ４）間の色ずれを補正するものについて示したが、ディスプレイパネルＤ１〜Ｄ４における色再現域の共通領域を求めることで、ディスプレイパネルＤ１〜Ｄ４間の色ずれを補正するようにしてもよい。
この場合、上記実施の形態１に従った手順にしたがって目標色度を算出することで、ディスプレイパネルＤ１〜Ｄ４の色補正を行う。
【００７７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７８】
１，１ａ，１ｂ  マルチディスプレイ、Ｄ０〜Ｄ８  ディスプレイパネル、２，４  画像表示装置、３，５  色補正処理装置、１１，２１  色補正用画像表示部（色補正用画像表示手段）、１２，１２ａ，１２ｂ  ＤＳＣ（撮影画像取得手段）、１３，２２  画像取得処理部（撮影画像取得手段）、１４，２３  画像調整処理部（画像調整処理手段）、１５，２４  目標色度算出処理部（目標色度算出手段）、１６，２５  色補正係数算出処理部（色補正係数算出手段）、２６，１７  色補正処理部（色補正手段）。
【図１】
0005677021.tif 000007
【図２】
0005677021.tif 000008
【図３】
0005677021.tif 000009
【図４】
0005677021.tif 000010
【図５】
0005677021.tif 000011
【図６】
0005677021.tif 000012
【図７】
0005677021.tif 000013